(57)【要約】【課題】  従来の技術は、新たに設置される受枠と円形開口部の間に、早強無収縮性モルタルが装填されてなるものであり、再度補修する場合、早強無収縮性モルタルを破壊するのに多大な労力と時間を必要とし、かつ、騒音も問題であり、実用上問題がある。また、専用の切断機が必要であり、かつ、再度補修する場合もマンホール蓋の取り外し、取り付けに、これもまた多大な労力と時間を必要とするものである。【解決手段】鉄蓋を取り付ける基板リングと、鉄蓋の周囲を補強する補強リングとからなることを特徴とするマンホール鉄蓋補修リング。【選択図】図１
2014074323.tif 000002
【特許請求の範囲】
【請求項１】
鉄蓋を取り付ける基板リングと、鉄蓋の周囲を補強する補強リングとからなることを特徴とするマンホール鉄蓋補修リング。
【請求項２】
基板リングに、鉄蓋を取り付ける取付孔を穿設した鉄蓋受部を設けてなることを特徴とする請求項１記載のマンホール鉄蓋補修リング。
【請求項３】
基板リングの内寸がφ３００ｍｍ〜φ１５００ｍｍで、外寸φ４００ｍｍ〜φ１８００ｍｍ、厚み５０ｍｍ〜１５０ｍｍであることを特徴とする請求項１又は２記載のマンホール鉄蓋補修リング。
【請求項４】
補強リングに、基板リングの取付孔と同位置に連結孔を設けてなることを特徴とする請求項１、２又は３記載のマンホール鉄蓋補修リング。
【請求項５】
補強リングの内寸がφ３００ｍｍ〜φ１５００ｍｍで、外寸がφ４００ｍｍ〜φ１８００ｍｍで、厚み２０ｍｍ〜８０ｍｍであることを特徴とする請求項１、２、３又は４記載のマンホール鉄蓋補修リング。
【請求項６】
既築の鉄蓋周囲を取り除く撤去工程と、基板リングと補強リングを連結し、マンホール鉄蓋補修リングの基板リングに鉄蓋を取り付ける取付工程と、マンホール鉄蓋補修リングの高さ調整を行う設置工程と、無収縮モルタルを打設する打設工程と、表層材を打設する仕上工程とからなることを特徴とする補修工法。
【発明の詳細な説明】
【技術分野】
【０００１】  本発明は、既築の上下水道・通信・電力・ガス等のマンホール鉄蓋を取り替えるためマンホール鉄蓋補修リング及び補修工法に関するものである。
【背景技術】
【０００２】  従来の技術として、マンホールの蓋体周囲の舗装が円形に切断され、切断された舗装が蓋体の受枠ごと取り出されて、その切除後の円形開口部のマンホール上に受枠が再設置されて構成されるマンホール補修部の構造であって、新たに設置される受枠と円形開口部の間に、早強無収縮モルタルが装填されてなることを特徴とするマンホール補修部の構造がある。（特許文献１参照）【０００３】  また、別の従来の技術として、回転円弧状または球面状カッターを、マンホール蓋の中心を中心として、前記マンホール蓋の外周外方に沿って３６０°旋回させて回転円弧状または球面状切り込みを入れる舗装切断工程と、前記舖装切断工程で形成された切込みと、前記蓋を受ける蓋受枠との間の前記蓋受枠と舗装材を一体構造とした擬似円環状の切断片を形成する切断片形成工程と、下桝の上面を清掃し、アンカーボルトを介して、新しい蓋受枠を取り付ける蓋受枠取り付け工程と、前記擬似円環状の切断片を除去して形成される空間に、路盤材、調整部材、表層材を充填する材料充填工程と、よりなることを特徴とするマンホール蓋枠取替え工法がある。（特許文献２参照）
【先行技術文献】
【特許文献】
【０００４】
【特許文献１】実用新案登録第３０７０６３８号公報
【特許文献２】特開２００６−２３３７５４号公報
【発明の開示】
【発明が解決しようとする課題】
【０００５】  上記前者の場合、新たに設置される受枠と円形開口部の間に、早強無収縮性モルタルが装填されてなるものであり、再度補修する場合、早強無収縮性モルタルを破壊するのに多大な労力と時間を必要とし、実用上問題がある。【０００６】    また、上記後者においても、専用の切断機が必要であり、かつ、再度補修する場合もマンホール蓋の取り外し、取り付けに、これもまた多大な労力と時間を必要とし、長時間の交通障害を起因するものである。【０００７】  本発明は、このような従来の構成が有していた問題を解決しようとするもので、マンホール鉄蓋補修リングにより、簡単に、しかも短時間に施工でき、再補修を簡単にできるマンホール鉄蓋補修リング及び補修工法を提供することを目的とする。
【課題を解決するための手段】
【０００８】  本発明は上記目的を達成するため、鉄蓋を取り付ける基板リングと、鉄蓋の周囲を補強する補強リングとからなること。基板リングに、鉄蓋を取り付ける取付孔を穿設した鉄蓋受部をもうけてなること。基板リングの内寸がφ３００ｍｍ〜φ１５００ｍｍで、外寸φ４００ｍｍ〜φ１８００ｍｍ、厚み５０ｍｍ〜１５０ｍｍであること。補強リングに、基板リングの取付孔と同位置に連結孔を設けてなること。補強リングの内寸がφ３００ｍｍ〜φ１５００ｍｍで、外寸がφ４００ｍｍ〜φ１８００ｍｍで、厚み２０ｍｍ〜８０ｍｍであること。既築の鉄蓋周囲を取り除く撤去工程と、基板リングと補強リングを連結し、マンホール鉄蓋補修リングの基板リングに鉄蓋を取り付ける取付工程と、マンホール補強リングの高さ調整を行う設置工程と、無収縮モルタルを打設する打設工程と、表層材を打設する仕上工程とからなることを特徴とする補修工法。
【発明の効果】
【０００９】  まず、マンホール鉄蓋補修リングにおいて、１）、基板リングと補強リングとから構成するマンホール鉄蓋補修リングにより、鉄蓋を    簡単に取り付けることができ、かつ、底部及び側部（外周）を保護できる。２）、取付孔により、鉄蓋を確実に取り付けることができる。３）、連結孔により、基板リングと補強リングを位置ズレを起こすことなく連結できる。４）、各サイズの基板リングと補強リングにより、いろいろな大きさのマンホールに対応    できる。つぎに、補修工法においては、１）、既築のマンホール鉄蓋周囲を取り除いた後は、鉄蓋を取り付けたマンホール鉄蓋補    修リングを設置するのみで、施工も簡単で、特に技術を要しない。２）、また、再度補修工事を行う場合においてもマンホール補強リングを引き抜くことに    より取り外すことができ、短時間に施工できると共に、騒音も低減でき、かつ、設置    も簡単に施工できる。
【図面の簡単な説明】
【００１０】
【図１】本発明の一実施例を示すマンホール鉄蓋補修リングの補強リングの縦断正面図。
【図２】本発明の一実施例を示すマンホール鉄蓋補修リングの補強リングの平面図。
【図３】本発明の一実施例を示すマンホール鉄蓋補修リングの基板リングの縦断正面図。
【図４】本発明の一実施例を示すマンホール鉄蓋補修リングの基板リングの平面図。
【図５】本発明の一実施例を示すマンホール鉄蓋補修リングに鉄蓋を取り付けてなる一部縦断正面図。
【図６】本発明の一実施例を示す補修工法のフローチャート図。
【発明の実施するための形態】
【００１１】  まず、マンホール鉄蓋補修リングについて説明する。  マンホール鉄蓋補修リング１は、補強リング２と基板リング３とより構成される。  補強リング２は、厚さＣは５０ｍｍ〜１５０ｍｍで、内寸ｂはφ３００ｍｍ〜φ１５００ｍｍで、外寸ａはφ４００ｍｍ〜φ１８００ｍｍである。  材質は、特に限定するものではないが、合成樹脂製等が望ましい。  また、受部２ａに取付孔２ａ１−−−（この実施例の場合、１２箇所）を穿設してある。（図１・図２参照）  基板リング３は、厚さＣ１は３０ｍｍ〜８０ｍｍで、内寸ｂ１はφ３００ｍｍ〜１５００ｍｍで、外寸ａはφ４００ｍｍ〜φ１８００ｍｍである。  材質は、特に限定するものではない。  また、取付孔２ａ１−−−と同位置に連結孔３ａ１−−−（この実施例の場合、１２箇所）。。  さらに、取付孔２ａ１の３箇所に連結ボルトの頭を収納するための収納穴３ｂを設けてある。（図３・図４参照）
【００１２】  上記のように、マンホール鉄蓋補修リング１の補強リング２と基板リング３とはボルトＢ・ナットＮにて連結するものである。（図５参照）
【００１３】  つぎに、補修工法について説明する。  前段取りとして、補強リング２と基板リング３をボルトＢ・ナットＮにて連結し、マンホール鉄蓋補修リング１を作る。  この時、ボルトＢは収納穴３ｂ（３箇所）より挿入し、鉄蓋Ｔの孔を通してナットＮにて固定する。（図５参照）
【００１４】  補修工法の手順としては、以下の流れとなる。  まず、数十年前に施工されたマンホール鉄蓋ＭＴは、表面のアスファルトＡＳの下にモルタルＭや砕石Ｓにて固定（施工）している。（図６（１）参照）  このマンホール鉄蓋ＭＴの周囲ＳＩを切断や掘削Ｋ等して、除去Ｚする撤去工程。（図６（２）（３）（４）参照）  つぎに、予め鉄蓋Ｔを取り付けたマンホール鉄蓋補修リング１（図５参照）を施工する取付工程、調整ナットＴＮを設けたアンカーボルトＡＢ（例えば、３箇所）を立設し、上方より工具（図示せず）にて調整ナットＴＮを上下させレベル調整を行った後、アンカーボルトＡＢを所要の取付孔２ａ１と連結孔３ａ１に連通して仮置きし、固定ナットＫＮにて固定する。（図６（５）参照）  その後、キャップＣを各アンカーボルトＡＢに装着した後、その周囲に無収縮モルタルＭＭを打設すると共に、同じくマンホール鉄蓋補修リング１の外周にも無収縮モルタルＭＭ１を打設する打設工程。（図６（６）（７）参照）  最後に、マンホール鉄蓋補修リング１を上面を表層材Ｈにて仕上げる仕上工程。（図６（５）参照）
【００１５】  なお、再度補修工事を行う場合には、表層材Ｈを取り除き、ボルトＢのキャップＣを取外し、既築のマンホール鉄蓋を撤去し、上方へマンホール鉄蓋補修リング１を引き抜き、新しいマンホール鉄蓋補修リング１を施工することができるものである。
【００１６】  上記実施例において、掘削方法や高さ調整方法は、従来例ある技術を使用すればよく、特に限定するものではない。
【符号の説明】
【００１４】１−−−マンホール鉄蓋補修リング２−−−補強リング２ａ−−受部２ａ１−取付孔３−−−基板リング３ａ１−連結孔３ｂ−−収納穴Ｔ−−−鉄蓋Ｂ−−−ボルトＮ−−−ナットＣ−−−キャップ
【図１】
2014074323.tif 000003
【図２】
2014074323.tif 000004
【図３】
2014074323.tif 000005
【図４】
2014074323.tif 000006
【図５】
2014074323.tif 000007
【図６】
2014074323.tif 000008
【図６】
2014074323.tif 000009